(57)【要約】【課題】滑り出し窓の機能を阻害することなく配設することができる面格子の提供を課題とする。【解決手段】滑り出し窓１１は、建物の壁１２に固定されている固定枠１３と可動部１４とによって構成されている。可動部１４は枠部材１４ａとガラス板１４ｂとによって構成されている。面格子１０は、可動部１４の略全面を覆う周辺寸法を有しており、可動部１４の外側の面に配設されている。滑り出し窓１１の可動部１４の開閉動作を行なう際、面格子１０は可動部１４の移動に伴って移動する。【選択図】  図１
0003102412.tif 000002
【実用新案登録請求の範囲】
【請求項１】
滑り出し窓の可動部の周辺寸法と略同じ周辺寸法を有する面格子であって、前記可動部
の外側の面に当該面を覆うように配設されていることを特徴とする面格子。
【請求項２】
前記滑り出し窓は、当該滑り出し窓の固定枠内の左右に配設された１対の前記可動部を
有する両開き型の滑り出し窓であって、前記面格子は、前記１対の可動部のそれぞれに配
設されていることを特徴とする請求項１に記載の面格子。
【請求項３】
前記面格子は、前記可動部の枠部材と一体的に構成されていることを特徴とする請求項
１または２に記載の面格子。
【請求項４】
前記面格子は、前記可動部の枠部材に対して着脱自在に構成されていることを特徴とす
る請求項１または２に記載の面格子。
【考案の詳細な説明】
【技術分野】
【０００１】
本考案は、建物の窓に配設される面格子に関するものである。
【背景技術】
【０００２】
近年、空き巣等の犯罪の増加に伴い、これらの犯罪を防止する目的で、窓の部分に面格
子を配設した建物が増えている。
【０００３】
図６および図７は、このような従来の面格子の構成を示したものである。
【０００４】
図６（ａ）は、固定式窓（所謂「明かり取り」）６１に配設された面格子６０を示した
斜視図であり、図６（ｂ）はその断面図である。
【０００５】
図７（ａ）は、引き違い窓７１に配設された面格子７０を示した斜視図であり、図７（
ｂ）はその断面図である。
【０００６】
このような従来の面格子６０，７０は、通常、窓６１，７１を建物の壁６２，７２に固
定するために窓６１，７１の周辺部に形成されている固定枠６３，７３、または固定枠６
３，７３の周囲の壁６２，７２に窓６１，７１の全体を覆うように固定されている。
【考案の開示】
【考案が解決しようとする課題】
【０００７】
このような従来の面格子を建物の窓部分に配設する際、窓が外側に開く所謂滑り出し窓
の場合には、その機能が面格子によって阻害されてしまう。従ってこのような従来の面格
子を配設する場合には、その窓の構造としては、図６に示した開放不可能な固定式窓か、
図７に示した窓面積の略半分しか開放することができない引き違い窓かしか選ぶことがで
きなかった。
【０００８】
すなわち、従来の面格子は、窓面積の略全域を開放状態にすることができる所謂滑り出
し窓の機能を阻害してしまうために、このような滑り出し窓には配設することができない
という問題点があった。
【課題を解決するための手段】
【０００９】
以上の問題を解決するために、本考案に係る面格子は、滑り出し窓の可動部の周辺寸法
と略同じ周辺寸法を有する面格子であって、前記可動部の外側の面に当該面を覆うように
配設されていることを特徴とするものである。
【００１０】
また、前記滑り出し窓は、当該滑り出し窓の固定枠内の左右に配設された１対の前記可
動部を有する両開き型の滑り出し窓であって、前記面格子は、前記１対の可動部のそれぞ
れに配設するようにしてもよい。
【００１１】
さらに前記面格子は、前記可動部の枠部材と一体的に構成してもよいし、前記可動部の
枠部材に対して着脱自在に構成してもよい。
【考案の効果】
【００１２】
本考案によれば、滑り出し窓の可動部と共に面格子が移動するので、滑り出し窓の機能
を阻害することなく滑り出し窓に面格子を配設することができる。
【考案を実施するための最良の形態】
【００１３】
以下、図面を用いて本考案の実施例を説明する。
【実施例１】
【００１４】
図１，図２は本考案に係る面格子１０が配設されている片開き型の滑り出し窓１１の構
成を示したものであり、図１は窓が開いている状態を示し、図２は窓が閉じている状態を
示している。また図１，図２において（ａ）は斜視図であり（ｂ）はその断面図である。
【００１５】
図１および図２において、１０は面格子、１１は片開き型の滑り出し窓である。滑り出
し窓１１は、建物の壁１２に固定されている固定枠１３と開閉自在の可動部１４とによっ
て構成されている。可動部１４は、枠部材１４ａとその内部に固定されているガラス板１
４ｂとによって構成されている。
【００１６】
ここで、面格子１０は、可動部１４の平面の周辺寸法と略同じ周辺寸法を有しており、
可動部１４の外側の面を略全面に亘って覆うように配設されている。
【００１７】
この面格子１０は、枠部材１４ａと一体的に形成してもよく、また図３に示すように枠
部材１４ａとは別体に形成してもよい。図３において１０ａは取付用のビスであり、１０
ｂはゴム板等のパッキング材である。図３に示すように、面格子１０を枠部材１４ａに着
脱自在に構成した場合には、この面格子１０は、既存の滑り出し窓に配設することが可能
となる。
【００１８】
以上のように構成された本実施例１においては、面格子１０が可動部１４に配設されて
おり、可動部１４の移動に伴って面格子１０が移動するので、面格子１０が滑り出し窓１
１の開閉動作に支障を来たすようなことはない。
【実施例２】
【００１９】
図４（ａ）は、本考案の実施例２の構成を示した斜視図であり、図４（ｂ）はその断面
図である。図４（ａ），（ｂ）に示した滑り出し窓１１は、両開き型の滑り出し窓である
。このような両開き型の滑り出し窓１１においては、固定枠１３内の左右に１対の可動部
１４が配設されており、それぞれの可動部１４が独立して開閉できるように構成されてい
る。図５は、１対の可動部１４を共に開放状態にした場合の斜視図を示したものである。
なお図４，図５において図１と同一符号のものは同一のものを示しているのでその説明は
省略する。
【００２０】
図４，図５に示した両開き型の滑り出し窓１１の１対の可動部１４には、それぞれ面格
子１０が配設されている。このような両開き型の滑り出し窓１１においては、１対の可動
部１４のそれぞれに面格子１０を配設するという構成にすれば、面格子１０が滑り出し窓
１１の開閉動作に支障を来たすようなことはない。
【００２１】
なお、本実施例２においても、面格子１０は、枠部材１４ａと一体的に形成しても、枠
部材１４ａとは別体に形成してもよい。、
【産業上の利用可能性】
【００２２】
本考案によれば、滑り出し窓に面格子を配設することができるので、既存の滑り出し窓
の機能を損なうことなく防犯機能を高めることができるとともに、面格子を配設すること
ができる窓の種類を増やすことができて建物設計の自由度を高めることができる。
【図面の簡単な説明】
【００２３】
【図１】本考案の実施例１の構成を示した構成図であり、（ａ）は斜視図、（ｂ）は断面図である。
【図２】本考案の実施例１に係る滑り出し窓の動作の説明図である。
【図３】本考案の実施例１に係る面格子の説明図である。
【図４】本考案の実施例２の構成を示した構成図であり、（ａ）は斜視図、（ｂ）は断面図である。
【図５】本考案の実施例２に係る滑り出し窓の動作の説明図である。
【図６】従来の面格子の構成図である。
【図７】従来の面格子の構成図である。
【符号の説明】
【００２４】
１０  面格子
１０ａ  ビス
１０ｂ  パッキング材
１１  滑り出し窓
１２  壁
１３  固定枠
１４  可動部
１４ａ  枠部材
１４ｂ  ガラス板
【図１】
0003102412.tif 000003
【図２】
0003102412.tif 000004
【図３】
0003102412.tif 000005
【図４】
0003102412.tif 000006
【図５】
0003102412.tif 000007
【図６】
0003102412.tif 000008
【図７】
0003102412.tif 000009